【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
前記ＵＥによって監視されるマシンタイプ通信（ＭＴＣ）物理ダウンリンク制御チャネル（Ｍ−ＰＤＣＣＨ）候補のパラメータを決定することと、ここにおいて、前記パラメータが、前記Ｍ−ＰＤＣＣＨ候補の繰り返しに関連する、
前記ＵＥの間欠受信（ＤＲＸ）構成に関連する指示を受信することと、
前記ＵＥにおいて、ＤＲＸ構成パラメータを決定することと、前記ＤＲＸ構成パラメータが、前記指示と前記Ｍ−ＰＤＣＣＨ候補の前記パラメータとの関数である、
前記ＵＥによって決定された前記ＤＲＸ構成パラメータに基づいてＤＲＸを実行することと
を備える、方法。
【請求項２】
前記Ｍ−ＰＤＣＣＨの前記パラメータが前記Ｍ−ＰＤＣＣＨの繰返しレベルを備える、請求項１に記載の方法。
【請求項３】
前記指示は、前記ＵＥがＰＤＣＣＨを監視すべきであるサブフレームの数を備える、請求項１に記載の方法。
【請求項４】
前記指示は、前記ＵＥがＰＤＣＣＨを監視すべきであるサブフレームの数を備え、前記方法が、
前記ＵＥによって監視される複数のＭ−ＰＤＣＣＨ候補の各々について繰返しレベルを決定することと、
前記ＵＥにおいて、前記複数のＭ−ＰＤＣＣＨ候補についての最大繰返しレベルと前記指示との関数としてＤＲＸオン持続時間を決定することと
をさらに備える、請求項１に記載の方法。
【請求項５】
ユーザ機器（ＵＥ）におけるワイヤレス通信のための装置であって、
前記ＵＥによって監視されるマシンタイプ通信（ＭＴＣ）物理ダウンリンク制御チャネル（Ｍ−ＰＤＣＣＨ）候補のパラメータを決定するための手段と、ここにおいて、前記パラメータが、前記Ｍ−ＰＤＣＣＨ候補の繰り返しに関連する、
前記ＵＥの間欠受信（ＤＲＸ）構成に関連する指示を受信するための手段と、
前記ＵＥにおいて、ＤＲＸ構成パラメータを決定するための手段と、前記ＤＲＸ構成パラメータが、前記指示と前記Ｍ−ＰＤＣＣＨ候補の前記パラメータとの関数である、
前記ＵＥによって決定された前記ＤＲＸ構成パラメータに基づいてＤＲＸを実行するための手段と
を備える、装置。
【請求項６】
前記Ｍ−ＰＤＣＣＨの前記パラメータが前記Ｍ−ＰＤＣＣＨの繰返しレベルを備える、請求項５に記載の装置。
【請求項７】
前記指示は、前記ＵＥがＰＤＣＣＨを監視すべきであるサブフレームの数を備える、請求項５に記載の装置。
【請求項８】
前記指示は、前記ＵＥがＰＤＣＣＨを監視すべきであるサブフレームの数を備え、前記パラメータを決定するための前記手段が、前記ＵＥによって監視される複数のＭ−ＰＤＣＣＨ候補の各々について繰返しレベルを決定し、前記ＤＲＸ構成パラメータを決定するための前記手段が、前記複数のＭ−ＰＤＣＣＨ候補についての最大繰返しレベルと前記指示との関数としてＤＲＸオン持続時間を決定する、請求項５に記載の装置。
【請求項９】
ユーザ機器（ＵＥ）におけるワイヤレス通信のための装置であって、
メモリと、
前記メモリに結合された少なくとも１つのプロセッサと
を備え、前記少なくとも１つのプロセッサは、
前記ＵＥによって監視されるマシンタイプ通信（ＭＴＣ）物理ダウンリンク制御チャネル（Ｍ−ＰＤＣＣＨ）候補のパラメータを決定することと、ここにおいて、前記パラメータが、前記Ｍ−ＰＤＣＣＨ候補の繰り返しに関連する、
前記ＵＥの間欠受信（ＤＲＸ）構成に関連する指示を受信することと、
前記ＵＥにおいて、ＤＲＸ構成パラメータを決定することと、前記ＤＲＸ構成パラメータが、前記指示と前記Ｍ−ＰＤＣＣＨ候補の前記パラメータとの関数である、
前記ＵＥによって決定された前記ＤＲＸ構成パラメータに基づいてＤＲＸを実行することと
を行うように構成された、装置。
【請求項１０】
前記Ｍ−ＰＤＣＣＨの前記パラメータが前記Ｍ−ＰＤＣＣＨの繰返しレベルを備える、請求項９に記載の装置。
【請求項１１】
前記指示は、前記ＵＥがＰＤＣＣＨを監視すべきであるサブフレームの数を備える、請求項９に記載の装置。
【請求項１２】
前記指示は、前記ＵＥがＰＤＣＣＨを監視すべきであるサブフレームの数を備え、ここにおいて、前記少なくとも１つのプロセッサが、前記ＵＥによって監視される複数のＭ−ＰＤＣＣＨ候補の各々について繰返しレベルを決定することによって前記パラメータを決定し、ここにおいて、前記少なくとも１つのプロセッサが、前記複数のＭ−ＰＤＣＣＨ候補についての最大繰返しレベルと前記指示との関数としてＤＲＸオン持続時間を決定する、請求項９に記載の装置。
【請求項１３】
ユーザ機器（ＵＥ）におけるワイヤレス通信のためのコンピュータ実行可能コードを記憶する非一時的コンピュータ可読媒体であって、
前記ＵＥによって監視されるマシンタイプ通信（ＭＴＣ）物理ダウンリンク制御チャネル（Ｍ−ＰＤＣＣＨ）候補のパラメータを決定することと、ここにおいて、前記パラメータが、前記Ｍ−ＰＤＣＣＨ候補の繰り返しに関連する、
前記ＵＥの間欠受信（ＤＲＸ）構成に関連する指示を受信することと、
前記ＵＥにおいて、ＤＲＸ構成パラメータを決定することと、前記ＤＲＸ構成パラメータが、前記指示と前記Ｍ−ＰＤＣＣＨ候補の前記パラメータとの関数である、
前記ＵＥによって決定された前記ＤＲＸ構成パラメータに基づいてＤＲＸを実行することと
を行うためのコードを備える、非一時的コンピュータ可読媒体。
【請求項１４】
前記Ｍ−ＰＤＣＣＨの前記パラメータが前記Ｍ−ＰＤＣＣＨの繰返しレベルを備える、請求項１３に記載のコンピュータ可読媒体。
【請求項１５】
前記指示は、前記ＵＥがＰＤＣＣＨを監視すべきであるサブフレームの数を備える、請求項１３に記載の非一時的コンピュータ可読媒体。
【請求項１６】
前記指示は、前記ＵＥがＰＤＣＣＨを監視すべきであるサブフレームの数を備え、前記ＵＥによって監視される複数のＭ−ＰＤＣＣＨ候補の各々について繰返しレベルを決定することによって前記パラメータを決定するためのコードと、前記複数のＭ−ＰＤＣＣＨ候補についての最大繰返しレベルと前記指示との関数としてＤＲＸオン持続時間を決定するためのコードとをさらに備える、請求項１３に記載の非一時的コンピュータ可読媒体。
【手続補正２】
【補正対象書類名】明細書
【補正対象項目名】０１３６
【補正方法】変更
【補正の内容】
【０１３６】
[00169]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、
（ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を備える、方法。
［Ｃ２］
前記第１のバンドルされたＭ−ＰＤＤＣＨ候補の前記複数のサブフレームが前記ＤＲＸオン持続時間内にあるかどうかを決定すること
をさらに備える、Ｃ１に記載の方法。
［Ｃ３］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
をさらに備える、Ｃ２に記載の方法。
［Ｃ４］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、Ｃ２に記載の方法。
［Ｃ５］
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
をさらに備える、Ｃ１に記載の方法。
［Ｃ６］
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
をさらに備える、Ｃ１に記載の方法。
［Ｃ７］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に開始するとき、前記第１のバンドルされたＭ−ＰＤＤＣＨ候補を復号することをさらに備える、Ｃ１に記載の方法。
［Ｃ８］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に終了するとき、前記第１のバンドルされたＭ−ＰＤＤＣＨ候補を復号することをさらに備える、Ｃ１に記載の方法。
［Ｃ９］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームのうちのいずれかが前記ＤＲＸオン持続時間内にあるとき、前記第１のバンドルされたＭ−ＰＤＤＣＨ候補を復号すること
をさらに備える、Ｃ１に記載の方法。
［Ｃ１０］
第２のバンドルされたＭ−ＰＤＣＣＨ候補を搬送するサブフレームのセットを決定すること、ここにおいて、前記第１のバンドルされたＭ−ＰＤＣＣＨ候補の前記サブフレームが、部分的に前記ＤＲＸオン持続時間の外部にあり、前記第２のバンドルされたＭ−ＰＤＣＣＨ候補の前記サブフレームが、部分的に前記ＤＲＸオン持続時間の外部にある、
前記ＤＲＸオン持続時間と、前記第１のバンドルされたＭ−ＰＤＣＣＨ候補および前記第２のバンドルされたＭ−ＰＤＣＣＨ候補の前記サブフレームとの間の重複に基づいて、どのバンドルされたＭ−ＰＤＣＣＨ候補を監視すべきかを決定することと、
前記決定に基づいて、前記第１のバンドルされたＭ−ＰＤＣＣＨ候補および前記第２のバンドルされたＭ−ＰＤＣＣＨ候補のうちの１つを復号することと
Ｃ１に記載の方法。
［Ｃ１１］
前記ＵＥが、サブフレームの前記セットを全体的に含めるように前記ＤＲＸオン持続時間を拡張し、前記拡張されたＤＲＸオン持続時間中のサブフレームの前記セット中で搬送される前記第１のバンドルされたＭ−ＰＤＣＣＨ候補を復号すること、Ｃ１に記載の方法。
［Ｃ１２］
ユーザ機器（ＵＥ）におけるワイヤレス通信のための装置であって、
間欠受信（ＤＲＸ）オン持続時間を決定するための手段と、
第１のバンドルされたＭＴＣ物理ダウンリンク制御チャネル（Ｍ−ＰＤＣＣＨ）候補を搬送するサブフレームのセットを決定するための手段と、サブフレームの前記セットが複数のサブフレームを含む、
前記ＤＲＸオン持続時間がサブフレームの前記セットと少なくとも部分的に重複すると決定するための手段と、
（ａ）前記第１のバンドルされたＭ−ＰＤＣＣＨ候補を復号することを控えること、
（ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行するための手段と
を備える、装置。
［Ｃ１３］
前記ＤＲＸオン持続時間がサブフレームの前記セットと少なくとも部分的に重複すると決定するための前記手段は、前記第１のバンドルされたＭ−ＰＤＤＣＨ候補の前記複数のサブフレームが前記ＤＲＸオン持続時間内にあるかどうかを決定する、Ｃ１２に記載の装置。
［Ｃ１４］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号するための手段をさらに備え、ここにおいて、実行するための前記手段は、前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控える、
Ｃ１３に記載の装置。
［Ｃ１５］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、Ｃ１３に記載の装置。
［Ｃ１６］
サブフレームのセットを決定するための前記手段が、前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定し、前記装置が、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定するための手段
をさらに備える、Ｃ１２に記載の装置。
［Ｃ１７］
複数のバンドルされたＭ−ＰＤＣＣＨ候補のうちの１つを監視することを決定するための手段、前記１つのバンドルされたＭ−ＰＤＣＣＨ候補が前記ＤＲＸオン持続時間内に各サブフレームを有する、
をさらに備える、Ｃ１２に記載の装置。
［Ｃ１８］
ユーザ機器（ＵＥ）におけるワイヤレス通信のための装置であって、
メモリと、
前記メモリに結合された少なくとも１つのプロセッサと
を備え、前記少なくとも１つのプロセッサは、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、
（ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うように構成された、
装置。
［Ｃ１９］
前記少なくとも１つのプロセッサが、
前記第１のバンドルされたＭ−ＰＤＤＣＨ候補の前記複数のサブフレームが前記ＤＲＸオン持続時間内にあるかどうかを決定すること
を行うようにさらに構成された、Ｃ１８に記載の装置。
［Ｃ２０］
前記少なくとも１つのプロセッサが、
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うようにさらに構成された、Ｃ１９に記載の装置。
［Ｃ２１］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、Ｃ１９に記載の装置。
［Ｃ２２］
前記少なくとも１つのプロセッサが、
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うようにさらに構成された、Ｃ１８に記載の装置。
［Ｃ２３］
前記少なくとも１つのプロセッサが、
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うようにさらに構成された、Ｃ１８に記載の装置。
［Ｃ２４］
ユーザ機器（ＵＥ）におけるワイヤレス通信のためのコンピュータ実行可能コードを記憶するコンピュータ可読媒体であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、
（ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うためのコードを備える、コンピュータ可読媒体。
［Ｃ２５］
前記第１のバンドルされたＭ−ＰＤＤＣＨ候補の前記複数のサブフレームが前記ＤＲＸオン持続時間内にあるかどうかを決定すること
を行うためのコードをさらに備える、Ｃ２４に記載のコンピュータ可読媒体。
［Ｃ２６］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うためのコードをさらに備える、Ｃ２５に記載のコンピュータ可読媒体。
［Ｃ２７］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、Ｃ２５に記載のコンピュータ可読媒体。
［Ｃ２８］
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うためのコードをさらに備える、Ｃ２４に記載のコンピュータ可読媒体。
［Ｃ２９］
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うためのコードをさらに備える、Ｃ２４に記載のコンピュータ可読媒体。
［Ｃ３０］
ユーザ機器（ＵＥ）におけるワイヤレス通信の方法であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を備える、方法。
［Ｃ３１］
前記バンドルされたＭ−ＰＤＣＣＨの前記パラメータが繰返しレベルを備える、Ｃ３０に記載の方法。
［Ｃ３２］
前記指示は、前記ＵＥがＰＤＣＣＨを監視すべきであるサブフレームの数を備える、Ｃ３０に記載の方法。
［Ｃ３３］
前記指示は、前記ＵＥがＰＤＣＣＨを監視すべきであるサブフレームの数を備え、前記方法が、
前記ＵＥによって監視される複数のバンドルされたＭ−ＰＤＣＣＨ候補の各々について繰返しレベルを決定することと、
前記複数のバンドルされたＭ−ＰＤＣＣＨ候補についての最大繰返しレベルと前記指示との関数としてＤＲＸオン持続時間を決定することと
をさらに備える、Ｃ３０に記載の方法。
［Ｃ３４］
ユーザ機器（ＵＥ）におけるワイヤレス通信のための装置であって、
前記ＵＥによって監視されるバンドルされたマシンタイプ通信（ＭＴＣ）物理ダウンリンク制御チャネル（Ｍ−ＰＤＣＣＨ）候補のパラメータを決定するための手段と、
前記ＵＥの間欠受信（ＤＲＸ）構成に関連する指示を受信するための手段と、
ＤＲＸ構成パラメータを決定するための手段と、前記ＤＲＸ構成パラメータが、前記指示と前記Ｍ−ＰＤＣＣＨ候補の前記パラメータとの関数である、
を備える、装置。
［Ｃ３５］
前記バンドルされたＭ−ＰＤＣＣＨの前記パラメータが繰返しレベルを備える、Ｃ３４に記載の装置。
［Ｃ３６］
前記指示は、前記ＵＥがＰＤＣＣＨを監視すべきであるサブフレームの数を備える、Ｃ３４に記載の装置。
［Ｃ３７］
前記指示は、前記ＵＥがＰＤＣＣＨを監視すべきであるサブフレームの数を備え、ここにおいて、前記パラメータを決定するための前記手段が、前記ＵＥによって監視される複数のバンドルされたＭ−ＰＤＣＣＨ候補の各々について繰返しレベルを決定し、ここにおいて、前記ＤＲＸ構成パラメータを決定するための前記手段が、前記複数のバンドルされたＭ−ＰＤＣＣＨ候補についての最大繰返しレベルと前記指示との関数としてＤＲＸオン持続時間を決定する、Ｃ３４に記載の装置。
［Ｃ３８］
ユーザ機器（ＵＥ）におけるワイヤレス通信のための装置であって、
メモリと、
前記メモリに結合された少なくとも１つのプロセッサと
を備え、前記少なくとも１つのプロセッサは、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うように構成された、
装置。
［Ｃ３９］
前記バンドルされたＭ−ＰＤＣＣＨの前記パラメータが繰返しレベルを備える、Ｃ３８に記載の装置。
［Ｃ４０］
前記指示は、前記ＵＥがＰＤＣＣＨを監視すべきであるサブフレームの数を備える、Ｃ３８に記載の装置。
［Ｃ４１］
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、Ｃ３８に記載の装置。
［Ｃ４２］
ユーザ機器（ＵＥ）におけるワイヤレス通信のためのコンピュータ実行可能コードを記憶するコンピュータ可読媒体であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うためのコードを備える、コンピュータ可読媒体。
［Ｃ４３］
前記バンドルされたＭ−ＰＤＣＣＨの前記パラメータが繰返しレベルを備える、Ｃ４２に記載のコンピュータ可読媒体。
［Ｃ４４］
前記指示は、前記ＵＥがＰＤＣＣＨを監視すべきであるサブフレームの数を備える、Ｃ４２に記載のコンピュータ可読媒体。
［Ｃ４５］
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、Ｃ４２に記載のコンピュータ可読媒体。
［Ｃ４６］
ユーザ機器（ＵＥ）におけるワイヤレス通信の方法であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を備える、方法。
［Ｃ４７］
サブフレームの前記セット中に前記受信または送信を前記調整することが、前記利用不可能なサブフレームのためにおよび前記利用不可能なサブフレームの後のサブフレームの前記セットのいずれかのサブフレームのためにスケジュールされたバンドルされた送信を延期することをさらに備える、Ｃ４６に記載の方法。
［Ｃ４８］
サブフレームの前記セット中に前記受信または送信を前記調整することが、前記利用不可能なサブフレームのためにスケジュールされたバンドルされた送信をドロップすることをさらに備える、Ｃ４６に記載の方法。
［Ｃ４９］
サブフレームの前記セット中に前記受信または送信を前記調整することが、前記利用不可能なサブフレーム中に送信することを含むスケジュールされた送信をドロップすることをさらに備える、Ｃ４６に記載の方法。
［Ｃ５０］
サブフレームの前記セット中に前記受信または送信を前記調整することが、
前記サブフレームが第１のサブフレームであるとき、前記利用不可能なサブフレーム中に送信することを含むスケジュールされた送信をドロップすることと、
前記利用不可能なサブフレームが前記第１のサブフレームの後にあるとき、前記利用不可能なサブフレームのためにおよび前記利用不可能なサブフレームの後のサブフレームの前記セットのいずれかのサブフレームのためにスケジュールされたバンドルされた送信を延期することと
をさらに備える、Ｃ４６に記載の方法。
［Ｃ５１］
採用されるバンドリングの量に基づいて、サブフレームの前記セット中に前記受信または送信を調整するためのオプションを選択することをさらに備え、前記オプションが、
前記利用不可能なサブフレームのためにおよび前記利用不可能なサブフレームの後のサブフレームの前記セットのいずれかのサブフレームのためにスケジュールされたバンドルされた送信を延期することと、
前記利用不可能なサブフレームのためにスケジュールされたバンドルされた送信をドロップすることと、
前記利用不可能なサブフレーム中に送信することを含むスケジュールされた送信をドロップすることと
のうちの少なくとも１つを備える、
Ｃ４６に記載の方法。
［Ｃ５２］
ユーザ機器（ＵＥ）におけるワイヤレス通信のための装置であって、
サブフレームのセットについて半永続的スケジューリング（ＳＰＳ）許可を受信するための手段と、サブフレームの前記セットが利用不可能なサブフレームを含む、
サブフレームの前記セット中の利用可能なサブフレームのサブセットを決定するための手段と、
利用可能なサブフレームの前記サブセットに基づいて、サブフレームの前記セット中に受信または送信を調整するための手段と
を備える、装置。
［Ｃ５３］
サブフレームの前記セット中に前記受信または送信を調整するための前記手段が、前記利用不可能なサブフレームのためにおよび前記利用不可能なサブフレームの後のサブフレームの前記セットのいずれかのサブフレームのためにスケジュールされたバンドルされた送信を延期する、Ｃ５２に記載の装置。
［Ｃ５４］
サブフレームの前記セット中に前記受信または送信を調整するための前記手段が、前記利用不可能なサブフレームのためにスケジュールされたバンドルされた送信をドロップする、Ｃ５２に記載の装置。
［Ｃ５５］
サブフレームの前記セット中に前記受信または送信を調整するための前記手段が、前記利用不可能なサブフレーム中に送信することを含むスケジュールされた送信をドロップする、Ｃ５２に記載の装置。
［Ｃ５６］
ユーザ機器（ＵＥ）におけるワイヤレス通信のための装置であって、
メモリと、
前記メモリに結合された少なくとも１つのプロセッサと
を備え、前記少なくとも１つのプロセッサは、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うように構成された、
装置。
［Ｃ５７］
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、Ｃ５６に記載の装置。
［Ｃ５８］
サブフレームの前記セット中に前記受信または送信を調整することが、前記利用不可能なサブフレームのためにスケジュールされたバンドルされた送信をドロップすることを備える、Ｃ５６に記載の装置。
［Ｃ５９］
サブフレームの前記セット中に前記受信または送信を調整することが、前記利用不可能なサブフレーム中に送信することを含むスケジュールされた送信をドロップすることを備える、Ｃ５６に記載の装置。
［Ｃ６０］
ユーザ機器（ＵＥ）におけるワイヤレス通信のためのコンピュータ実行可能コードを記憶するコンピュータ可読媒体であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うためのコードを備える、コンピュータ可読媒体。
［Ｃ６１］
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、Ｃ６０に記載のコンピュータ可読媒体。
［Ｃ６２］
サブフレームの前記セット中に前記受信または送信を調整することが、前記利用不可能なサブフレームのためにスケジュールされたバンドルされた送信をドロップすることを備える、Ｃ６０に記載のコンピュータ可読媒体。
［Ｃ６３］
サブフレームの前記セット中に前記受信または送信を調整することが、前記利用不可能なサブフレーム中に送信することを含むスケジュールされた送信をドロップすることを備える、Ｃ６０に記載のコンピュータ可読媒体。